(57)【要約】【課題】飲料の飲み残しを抑えることができる飲料容器を提供すること。【解決手段】飲料容器２は、容器開口部３１を有し飲料を収容する容器本体３と、飲料が通過可能なアダプター開口部５４を有し、容器開口部３１に対向して容器本体３に装着されるアダプター５と、アダプター５に取り付けられアダプター開口部５４を覆い、吸い口部６３を有する飲み口６と、を備える。アダプター５は、アダプター開口部５４を形成し容器本体３の内部の飲料を吸い口部６３へ導くガイド部５３を有する。ガイド部５３のうち前記容器本体から前記飲み口に向かって流れる飲料に接触する内面５３１は、容器本体３の側から飲み口６の側へ向かうにつれてアダプター開口部５４の中心部へ向かって傾斜している。【選択図】図４
2020179885.tif 000002
【特許請求の範囲】
【請求項１】
容器開口部を有し飲料を収容する容器本体と、
前記飲料が通過可能なアダプター開口部を有し、前記容器開口部に対向して前記容器本体に装着されるアダプターと、
前記アダプターに取り付けられ前記アダプター開口部を覆い、吸い口部を有する飲み口と、
を備え、
前記アダプターは、前記アダプター開口部を形成し前記容器本体の内部の前記飲料を前記吸い口部へ導くガイド部を有し、
前記ガイド部のうち前記容器本体から前記飲み口に向かって流れる前記飲料に接触する内面は、前記容器本体の側から前記飲み口の側へ向かうにつれて前記アダプター開口部の中心部へ向かって傾斜したことを特徴とする飲料容器。
【請求項２】
前記ガイド部は、前記内面と、前記内面の反対側に形成された外面と、を貫通し前記飲料を通過させる飲料通過部を有することを特徴とする請求項１に記載の飲料容器。
【請求項３】
前記飲料通過部は、前記ガイド部の上端部から下端部まで延びたことを特徴とする請求項２に記載の飲料容器。
【請求項４】
前記飲料通過部は、前記アダプターに対する前記飲み口の位置を決める位置決めスリットを含み、
前記飲み口は、前記位置決めスリットに嵌まる突起部を有し、
前記突起部と前記ガイド部の下端部との間に隙間が形成されたことを特徴とする請求項２または３に記載の飲料容器。
【請求項５】
前記アダプターは、前記ガイド部の周囲に設けられ前記ガイド部の下端部から前記飲み口に向かって伸びる外周部をさらに有し、
前記外面と前記外周部の内面との交差部は、前記飲料通過部に向かって下方に傾斜したことを特徴とする請求項２〜４のいずれか１項に記載の飲料容器。
【発明の詳細な説明】
【技術分野】
【０００１】
本発明は、飲み口を備える飲料容器に関する。
【背景技術】
【０００２】
特許文献１には、上部に開口部を備える容器本体と、容器本体の開口部を開閉するために容器本体の開口部を覆うように容器本体に装着されるアダプターと、を有する飲料容器が開示されている。アダプターは、アダプター本体と、アダプター本体に設けられるスパウト部と、を有している。
【０００３】
特許文献１に記載されたアダプター本体は、扁平な円形の蓋状もしくはキャップ状に形成されている。アダプター本体の上面（天面）は、水平に形成されている。アダプター本体の下面（内面）は、アダプター本体の上面と同様に水平に形成されている。
【０００４】
ここで、乳幼児等の使用者がアダプター本体の外周に設けられた取っ手を把持し、飲料容器を傾けてスパウト等の飲み口を通して容器本体の内部に収容された飲料を飲むと、容器本体の内部に収容された飲料がアダプター本体の下面（内面）やアダプター本体の内側の段差部などに引っ掛かり残ることがある。そうすると、飲料の飲み残しが生ずることがある。そのため、特許文献１に記載された飲料容器については、飲料の飲み残しを抑えるという点において改善の余地がある。
【先行技術文献】
【特許文献】
【０００５】
【特許文献１】特開２００６−２３０７３１号公報
【発明の概要】
【発明が解決しようとする課題】
【０００６】
本発明は、前記課題を解決するためになされたものであり、飲料の飲み残しを抑えることができる飲料容器を提供することを目的とする。
【課題を解決するための手段】
【０００７】
前記課題は、容器開口部を有し飲料を収容する容器本体と、前記飲料が通過可能なアダプター開口部を有し、前記容器開口部に対向して前記容器本体に装着されるアダプターと、前記アダプターに取り付けられ前記アダプター開口部を覆い、吸い口部を有する飲み口と、を備え、前記アダプターは、前記アダプター開口部を形成し前記容器本体の内部の前記飲料を前記吸い口部へ導くガイド部を有し、前記ガイド部のうち前記容器本体から前記飲み口に向かって流れる前記飲料に接触する内面は、前記容器本体の側から前記飲み口の側へ向かうにつれて前記アダプター開口部の中心部へ向かって傾斜したことを特徴とする本発明に係る飲料容器により解決される。
【０００８】
本発明に係る飲料容器によれば、ガイド部は、アダプター開口部を通して容器本体の内部に収容された飲料を飲み口の吸い口部へ導く。このとき、ガイド部のうち容器本体から飲み口に向かって流れる飲料に接触する内面は、容器本体の側から飲み口の側へ向かうにつれてアダプター開口部の中心部へ向かって傾斜している。そのため、容器本体の内部に収容された飲料は、アダプターの内面やアダプターの内側の段差部などに引っ掛かることなく、ガイド部の内面の傾斜に沿って円滑に流れ、飲み口の吸い口部へ導かれる。これにより、容器本体の内部に収容された飲料の飲み残しを抑えることができる。
【０００９】
本発明に係る飲料容器において、好ましくは、前記ガイド部は、前記内面と、前記内面の反対側に形成された外面と、を貫通し前記飲料を通過させる飲料通過部を有することを特徴とする。
【００１０】
本発明に係る飲料容器によれば、例えば乳幼児等の使用者が飲料容器を傾けて容器本体の内部に収容された飲料を飲んだり、飲料容器が傾いたりした際に、容器本体の内部に収容された飲料がガイド部の外面に一時的に溜まった場合であっても、ガイド部の外面に一時的に溜まった飲料は、飲料通過部を通過して容器本体の内部に戻る。これにより、飲料がガイド部の外面に溜まったままになることを抑え、容器本体の内部に収容された飲料の飲み残しを抑えることができる。
【００１１】
本発明に係る飲料容器において、好ましくは、前記飲料通過部は、前記ガイド部の上端部から下端部まで延びたことを特徴とする。
【００１２】
本発明に係る飲料容器によれば、飲料通過部がガイド部の上端部から下端部まで延びているため、容器本体の内部に収容された飲料がガイド部の外面に一時的に溜まった場合であっても、ガイド部の外面に一時的に溜まった飲料は、飲料通過部を通過して容器本体の内部に戻りやすい。これにより、飲料がガイド部の外面に溜まったままになることを抑え、容器本体の内部に収容された飲料の飲み残しをより一層抑えることができる。
【００１３】
本発明に係る飲料容器において、好ましくは、前記飲料通過部は、前記アダプターに対する前記飲み口の位置を決める位置決めスリットを含み、前記飲み口は、前記位置決めスリットに嵌まる突起部を有し、前記突起部と前記ガイド部の下端部との間に隙間が形成されたことを特徴とする。
【００１４】
本発明に係る飲料容器によれば、アダプターに対する飲み口の位置を決めることができるとともに、容器本体の内部に収容された飲料がガイド部の外面に一時的に溜まった場合であっても、ガイド部の外面に一時的に溜まった飲料を、アダプターに対する飲み口の位置を決める位置決めスリットを利用して容器本体の内部に戻すことができる。そのため、ガイド部の外面に一時的に溜まった飲料を容器本体の内部に戻すためだけの特別な孔やスリットを設ける必要がなく、ガイド部の外面に一時的に溜まった飲料を、位置決めスリットを利用して容器本体の内部に戻すことができる。これにより、飲料容器の構造を簡易化させつつ、容器本体の内部に収容された飲料の飲み残しを抑えることができる。
【００１５】
また、飲み口は、位置決めスリットに嵌まる突起部を有する。そのため、飲み口の突起部がガイド部の位置決めスリットに嵌まった状態において、飲み口は、アダプターに対して位置決めされる。ここで、飲み口の突起部と、ガイド部の下端部と、の間には、隙間が形成されている。そのため、飲み口の突起部がガイド部の位置決めスリットに嵌まり、飲み口がアダプターに対して位置決めされた状態であっても、ガイド部の外面に一時的に溜まった飲料は、位置決めスリットのうち、飲み口の突起部と、ガイド部の下端部と、の間の隙間を通過して容器本体の内部に戻ることができる。これにより、飲料がガイド部の外面に溜まったままになることをより一層に抑え、容器本体の内部に収容された飲料の飲み残しをより一層抑えることができる。
【００１６】
本発明に係る飲料容器において、好ましくは、前記アダプターは、前記ガイド部の周囲に設けられ前記ガイド部の下端部から前記飲み口に向かって伸びる外周部をさらに有し、前記外面と前記外周部の内面との交差部は、前記飲料通過部に向かって下方に傾斜したことを特徴とする。
【００１７】
本発明に係る飲料容器によれば、ガイド部の外面と、ガイド部の周囲に設けられた外周部の内面と、の交差部が飲料通過部に向かって下方に傾斜しているため、ガイド部の外面に一時的に溜まった飲料は、飲料通過部に向かって流れやすい。そのため、ガイド部の外面に一時的に溜まった飲料は、飲料通過部を通過して容器本体の内部に戻りやすい。これにより、飲料がガイド部の外面に溜まったままになることを抑え、容器本体の内部に収容された飲料の飲み残しを抑えることができる。
【発明の効果】
【００１８】
本発明によれば、飲料の飲み残しを抑えることができる飲料容器を提供することができる。
【図面の簡単な説明】
【００１９】
【図１】本発明の実施形態に係る飲料容器を表す正面図である。
【図２】本実施形態に係る飲料容器を図１に表した矢印Ａ１５の方向からみたときの側面図である。
【図３】本実施形態に係る飲料容器を表す分解図である。
【図４】図１に表した切断面Ａ１−Ａ１における断面図である。
【図５】図２に表した切断面Ａ２−Ａ２における断面図である。
【図６】本実施形態に係る飲料容器を図１に表した矢印Ａ１６の方向からみたときの底面図である。
【図７】本実施形態のアダプターを表す上面図である。
【図８】図７に表した切断面Ａ３−Ａ３における断面図である。
【図９】本実施形態の飲み口を表す正面図である。
【図１０】本実施形態の飲み口を図９に表した矢印Ａ１７の方向からみたときの底面図である。
【発明を実施するための形態】
【００２０】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２１】
図１〜図３を参照して、本発明の実施形態に係る飲料容器の要部構成を説明する。本実施形態に係る飲料容器２は、ボトル３と、アダプター５と、飲み口６と、を備える。本実施形態のボトル３は、本発明の「容器本体」の一例である。本実施形態に係る飲料容器２は、パッキン４と、キャップ７と、フード８と、を備えていてもよい。言い換えれば、飲料容器２は、キャップ７およびフード８を必ずしも備えていなくともよい。例えば、飲み口６は、キャップ７を介することなく直接的にアダプター５に装着されてもよい。あるいは、飲み口６は、ボトル３とアダプター５との間に挟設される部分を有していてもよい。本実施形態の説明では、飲み口６がアダプター５とキャップ７との間に挟設される部分を有し、キャップ７を介してアダプター５に装着される場合を例に挙げる。
【００２２】
ボトル３は、上部に容器開口部３１を有し、内部に飲料を収容することができる。ボトル３は、ガラスや合成樹脂の成形品で形成されており、比較的大きな容器開口部３１を有する。これにより、飲料容器２の使用者等は、飲用後にボトル３を洗浄したり、液体をボトル３に注入したり、粉末ミルクなどをボトル３の内部に入れて調乳したりする作業などを容易に行うことができる。容器開口部３１の外周部３２には、雄ねじが形成されている。一方で、アダプター５のアダプター本体５１の内周部には、雌ねじが形成されている。これにより、ボトル３の雄ねじとアダプター５の雌ねじとが互いに嵌まり合い、アダプター５は、ボトル３に対して着脱可能とされている。
【００２３】
図３に表したように、パッキン４は、ボトル３およびアダプター５の少なくともいずれかに装着可能とされ、ボトル３とアダプター５との間に配置される。パッキン４は、シリコーンやエラストマーなどにより形成されリング状を呈する。パッキン４がボトル３とアダプター５との間に挟設されることにより、ボトル３とアダプター５との間の液密性が確保されている。なお、パッキン４は、ボトル３およびアダプター５の少なくともいずれかに一体的に形成されていてもよい。
【００２４】
アダプター５は、アダプター本体５１と、取っ手５２と、ガイド部５３と、外周部５５と、を有し、剛性の比較的高い材料、言い換えれば硬質の材料で形成されている。なお、アダプター５は、必ずしも取っ手５２を有していなくともよい。アダプター５の材料としては、例えば、ポリプロピレンやポリカーボネートなどの合成樹脂が挙げられる。アダプター本体５１は、ボトル３の容器開口部３１に対向して配置され、ボトル３の外周部３２に嵌まり合うことでボトル３に装着可能とされている。
【００２５】
図１および図２に表したように、取っ手５２は、アダプター本体５１の側面に接続され、アダプター本体５１の側面から鉛直方向に対して約２５°〜３０°程度の角度で斜め下方に延びている。これにより、乳幼児等の使用者は、取っ手５２を把持しやすく、飲料容器２の前後方向を容易に認識することができる。なお、図２に表した飲料容器２では、左方向が飲料容器２の前方向（体側）に相当し、右方向が飲料容器２の後方向に相当する。つまり、乳幼児等の使用者が飲料容器２を傾けずに持った状態において、図２の左方向が乳幼児等の使用者の側（手前側）に相当し、図４の右方向が乳幼児等の使用者とは反対側（奥側）に相当する。
【００２６】
ガイド部５３は、アダプター本体５１の内側に形成され、飲料が通過可能なアダプター開口部５４を形成する。ガイド部５３は、ボトル３の内部に収容された飲料をアダプター開口部５４を通して飲み口６の吸い口部６３へ導く。すなわち、ボトル３の内部に収容された飲料は、アダプター５のアダプター開口部５４を通過し、飲み口６の吸い口部６３に向かって流れる。
【００２７】
外周部５５は、ガイド部５３の周囲に設けられている。外周部５５は、アダプター本体５１に接続され、ガイド部５３の下端部５３２（図８参照）から飲み口６に向かって延びている。なお、ガイド部５３の詳細については、後述する。アダプター５の外周部５５には、雄ねじが形成されている。一方で、キャップ７の内周部には、雌ねじが形成されている。これにより、アダプター５の外周部５５の雄ねじとキャップ７の雌ねじとが互いに嵌まり合い、キャップ７は、アダプター５に対して着脱可能とされている。
【００２８】
飲み口６は、基部６１と、鍔部６２と、吸い口部６３と、を有し、全体として軟質の材料で形成されている。飲み口６の材料としては、例えば、水添型スチレンイソプレン共重合樹脂やスチレンブチレン共重合樹脂等のエラストマーや、シリコーンなどが挙げられる。飲み口６は、哺乳瓶等で用いられる既知の人工乳首と同様の外形を有し、アダプター５に取り付けられアダプター開口部５４を覆う。
【００２９】
鍔部６２は、基部６１の下端部に接続され、基部６１から径外方向に延びている。鍔部６２は、アダプター５のガイド部５３の上端部５３３（図８参照）、およびアダプター５の外周部５５の上端部５５１（図８参照）に載置可能とされている。この詳細については、後述する。
【００３０】
吸い口部６３は、乳幼児等の使用者が口にくわえる部分であり、基部６１の外形よりも小さい外形を有する。吸い口部６３の先端部には、ボトル３の内部に収容された飲料が通過する例えばスリット状の液体通過孔６４（例えば図１０参照）が設けられている。吸い口部６３の形状は、図３に表した例には限定されず、吸い口部としての適切な流量や硬さを有する限りにおいて乳首状であってもよい。
【００３１】
キャップ７は、キャップ開口部７１を有し、アダプター５のアダプター開口部５４に対向して配置される。キャップ７は、アダプター５の外周部５５に嵌まり合うことでアダプター５に装着可能とされている。キャップ７がアダプター５に装着されると、飲み口６の基部６１および吸い口部６３は、キャップ７のキャップ開口部７１を貫通した状態になる。一方で、キャップ７がアダプター５に装着されると、飲み口６の鍔部６２は、キャップ７とアダプター５との間に挟設される。具体的には、飲み口６の鍔部６２は、キャップ７の内面と、アダプター５の上面と、の間に挟設される。ここでいう「アダプター５の上面」の例としては、アダプター５のガイド部５３の上端部５３３の面、およびアダプター５の外周部５５の上端部５５１の面が挙げられる。これにより、飲み口６は、キャップ７を介してアダプター５に装着される。
【００３２】
フード８は、全体としてドーム状を呈し、例えば合成樹脂により形成されている。フード８の下端部の内面に形成された嵌合凸部８２（図４参照）がキャップ７の下端部に形成された嵌合凹部７２に嵌まることにより、フード８は、キャップ７に装着される。フード８の上端部の内面には、孔閉止部８１（図４および図５参照）が設けられている。フード８がキャップ７に装着されると、孔閉止部８１は、飲み口６の上端部と当接し、飲み口６の液体通過孔６４を液密的および気密的に塞ぐ。これにより、フード８がキャップ７に装着された状態において、孔閉止部８１は、ボトル３の内部に収容された飲料が液体通過孔６４を通して漏れることを抑えることができる。
【００３３】
乳幼児等の使用者は、取っ手５２を把持し飲料容器２を傾けることにより、ボトル３の内部に収容された飲料を飲み口６に形成された液体通過孔６４を通して飲むことができる。このとき、ボトル３の内部に収容された飲料は、ボトル３の容器開口部３１を通過し、アダプター５のガイド部５３により導かれてアダプター開口部５４を通過し、飲み口６の吸い口部６３に向かって流れる。
【００３４】
ここで、例えば、比較的多くの段差部がアダプターの内側に設けられている場合には、乳幼児等の使用者が飲料容器を傾けてボトルの内部に収容された飲料を飲み口の液体通過孔を通して飲むと、飲料がアダプターの内側の段差部に引っ掛かり残ることがある。そうすると、飲料の飲み残しが生ずることがある。
【００３５】
これに対して、本実施形態に係るアダプター５のガイド部５３の内面は、ボトル３の側から飲み口６の側へ向かうにつれてアダプター開口部５４の中心部に向かって傾斜している。アダプター５のガイド部５３の内面は、ボトル３の内部に収容された飲料が飲み口６の吸い口部６３に向かって流れる際に、飲料に接触する面である。これについて、図４〜図１０を参照してさらに詳しく説明する。なお、図６では、説明の便宜上、ボトル３を省略している。
【００３６】
図４、図５および図８に表したように、アダプター５のガイド部５３は、アダプター本体５１の内側に接続され、ボトル３の側から飲み口６の側へ向かうにつれてアダプター開口部５４の中心部５４１（図７参照）へ向かって傾斜し延びている。本願明細書において、「ボトル３の側から飲み口６の側へ向かう」とは、ボトル３の内部に収容された飲料が飲み口６へ向かい飲み口６から流れる出る向きをいうものとする。具体的には、ガイド部５３の内面５３１は、ボトル３から飲み口６に向かって流れる飲料に接触する面であり、ボトル３の側から飲み口６の側へ向かうにつれてアダプター開口部５４の中心部５４１へ向かって傾斜している。
【００３７】
これによれば、図４に表した矢印Ａ１１および矢印Ａ１２、ならびに図８に表した矢印Ａ１３および矢印Ａ１４のように、ボトル３の内部に収容された飲料は、アダプター５の内面やアダプター５の内側の段差部などに引っ掛かることなく、ガイド部５３の内面５３１の傾斜に沿って円滑に流れ、飲み口６の吸い口部６３へ導かれる。これにより、ボトル３の内部に収容された飲料の飲み残しを抑えることができる。
【００３８】
また、図６および図７に表したように、アダプター５のガイド部５３は、第１位置決めスリット５６と、第２位置決めスリット５７と、通気開口部５８と、を有する。本実施形態の第１位置決めスリット５６、第２位置決めスリット５７および通気開口部５８のそれぞれは、本発明の「飲料通過部」の一例である。第１位置決めスリット５６、第２位置決めスリット５７および通気開口部５８のそれぞれは、ガイド部５３の内面５３１と、内面５３１の反対側に形成されたガイド部５３の外面５３４と、を貫通し、飲料を通過させることができる。また、第１位置決めスリット５６、第２位置決めスリット５７および通気開口部５８のそれぞれは、ガイド部５３の上端部５３３から下端部５３２まで延びている。
【００３９】
図９および図１０に表したように、飲み口６は、第１突起部６５と、第２突起部６６と、通気部６７と、を有する。図９に表したように、第１突起部６５および第２突起部６６は、鍔部６２の下面６２１に接続され、鍔部６２の下面６２１から基部６１および吸い口部６３とは反対側に向かって延びている。図６に表したように、飲み口６の第１突起部６５は、ガイド部５３の第１位置決めスリット５６に嵌まる。つまり、飲み口６の第１突起部６５の幅Ｄ５は、ガイド部５３の第１位置決めスリット５６の幅Ｄ３よりも僅かに小さい。また、飲み口６の第２突起部６６は、ガイド部５３の第２位置決めスリット５７に嵌まる。つまり、飲み口６の第２突起部６６の幅Ｄ６は、ガイド部５３の第２位置決めスリット５７の幅Ｄ４よりも僅かに小さい。図６に表したように、飲み口６の第１突起部６５がガイド部５３の第１位置決めスリット５６に嵌まり、飲み口６の第２突起部６６がガイド部５３の第２位置決めスリット５７に嵌まることにより、アダプター５に対する飲み口６の位置が決まる。つまり、第１位置決めスリット５６および第２位置決めスリット５７は、アダプター５に対する飲み口６の位置を決めるスリットである。
【００４０】
図５および図６に表したように、飲み口６の第１突起部６５がガイド部５３の第１位置決めスリット５６に嵌まり、飲み口６の第２突起部６６がガイド部５３の第２位置決めスリット５７に嵌まった状態、すなわち飲み口６がアダプター５に対して位置決めされた状態において、ガイド部５３の下端部５３２と、飲み口６の第１突起部６５と、の間には、隙間Ｓ１が形成されている。また、ガイド部５３の下端部５３２と、飲み口６の第２突起部６６と、の間には、隙間Ｓ２が形成されている。
【００４１】
図６に表したように、飲み口６がアダプター５に装着された状態において、飲み口６の通気部６７は、ガイド部５３の通気開口部５８の位置に配置される。通気部６７は、ボトル３の内部の圧力に応じてボトル３の内部に外気を導入させる。具体的には、通気部６７は、ボトル３の内部の圧力がボトル３の内部に収容された飲料の飲用に伴って低下すると、通気部６７の弁体が開くことにより、飲料容器２の外部から通気開口部５８を通してボトル３の内部に外気を導入させる。これにより、ボトル３の内部に発生した陰圧を解消することができる。
【００４２】
飲み口６の第１突起部６５の幅Ｄ５は、ガイド部５３の第２位置決めスリット５７の幅Ｄ４よりも大きい。そのため、飲み口６の第１突起部６５は、ガイド部５３の第２位置決めスリット５７には嵌まらない。これにより、図６に表した状態からみて飲み口６がアダプター５に対してアダプター開口部５４の中心部５４１を中心として１８０°回転した状態で装着されることを抑えることができる。そのため、飲み口６の通気部６７は、ガイド部５３の通気開口部５８の位置に確実に配置される。そして、乳幼児等の使用者が取っ手５２を把持し、飲料容器２の前方向（図２の左方向）を手前にして飲料容器２を傾けると、通気部６７は、飲料容器２の上部に配置される。これにより、乳幼児等の使用者がボトル３の内部に収容された飲料を飲用する際に、通気部６７が飲料により塞がれることを抑えることができる。そのため、通気部６７は、飲料容器２の外部からボトル３の内部に外気を確実に導入させ、ボトル３の内部に発生した陰圧を確実に解消することができる。
【００４３】
本実施形態に係る飲料容器２によれば、例えば乳幼児等の使用者が飲料容器２を傾けてボトル３の内部に収容された飲料を飲んだり、飲料容器２が傾いたりした際に、ボトル３の内部に収容された飲料が第１位置決めスリット５６、第２位置決めスリット５７および通気開口部５８の少なくともいずれかを通過してガイド部５３の外面５３４に一時的に溜まった場合であっても、ガイド部５３の外面５３４に一時的に溜まった飲料は、第１位置決めスリット５６、第２位置決めスリット５７および通気開口部５８の少なくともいずれかを通過してボトル３の内部に戻る。つまり、第１位置決めスリット５６、第２位置決めスリット５７および通気開口部５８は、ガイド部５３の外面５３４に一時的に溜まった飲料を通過させボトル３の内部に戻す機能を有する。これにより、飲料がガイド部５３の外面５３４に溜まったままになることを抑え、ボトル３の内部に収容された飲料の飲み残しを抑えることができる。
【００４４】
また、第１位置決めスリット５６、第２位置決めスリット５７および通気開口部５８がガイド部５３の上端部５３３から下端部５３２まで延びているため、ガイド部５３の外面５３４に一時的に溜まった飲料は、第１位置決めスリット５６、第２位置決めスリット５７および通気開口部５８の少なくともいずれかを通過してボトル３の内部に戻りやすい。これにより、飲料がガイド部５３の外面５３４に溜まったままになることを抑え、ボトル３の内部に収容された飲料の飲み残しをより一層抑えることができる。
【００４５】
また、前述したように、ガイド部５３の外面５３４に一時的に溜まった飲料は、第１位置決めスリット５６、第２位置決めスリット５７および通気開口部５８の少なくともいずれかを通過してボトル３の内部に戻る。そのため、ガイド部５３の外面５３４に一時的に溜まった飲料をボトル３の内部に戻すためだけの特別な孔やスリットを設ける必要がなく、ガイド部５３の外面５３４に一時的に溜まった飲料を、本発明の「飲料通過部」として機能する第１位置決めスリット５６、第２位置決めスリット５７および通気開口部５８の少なくともいずれかを利用してボトル３の内部に戻すことができる。これにより、飲料容器２の構造を簡易化させつつ、ボトル３の内部に収容された飲料の飲み残しを抑えることができる。
【００４６】
また、飲み口６がアダプター５に対して位置決めされた状態であっても、ガイド部５３の外面５３４に一時的に溜まった飲料は、第１位置決めスリット５６のうちガイド部５３の下端部５３２と飲み口６の第１突起部６５との間の隙間Ｓ１、および第２位置決めスリット５７のうちガイド部５３の下端部５３２と飲み口６の第２突起部６６との間の隙間Ｓ２を通過してボトル３の内部に戻ることができる。これにより、飲料がガイド部５３の外面５３４に溜まったままになることをより一層に抑え、ボトル３の内部に収容された飲料の飲み残しをより一層抑えることができる。
【００４７】
また、図４に表したように、飲み口６は、鍔部６２においてアダプター５のガイド部５３および外周部５５の両方に支持されている。具体的には、飲み口６の鍔部６２は、アダプター５のガイド部５３の上端部５３３と、アダプター５の外周部５５の上端部５５１と、の両方に当接し支持されている。
【００４８】
これによれば、飲み口６がボトル３の内部に押し込まれることを抑えることができる。また、飲み口６の鍔部６２とガイド部５３の上端部５３３とが互いに接触しているため、ボトル３の内部に収容された飲料が飲み口６とガイド部５３との間の隙間からガイド部５３の外面５３４に流れることを押さえることができる。これにより、ボトル３の内部に収容された飲料の飲み残しをより一層抑えることができる。
【００４９】
図７に表した矢印Ａ２１、矢印Ａ２２、矢印Ａ２３、矢印Ａ２４、矢印Ａ２５および矢印Ａ２６のように、ガイド部５３の外面５３４は、第１位置決めスリット５６、第２位置決めスリット５７および通気開口部５８のそれぞれに向かって下方に傾斜していてもよい。例えば、ガイド部５３の外面５３４と、ガイド部５３の外周部５５の内面と、の交差部が、第１位置決めスリット５６、第２位置決めスリット５７および通気開口部５８のそれぞれに向かって下方に傾斜していることがより好ましい。この場合には、ガイド部５３の外面５３４に一時的に溜まった飲料は、第１位置決めスリット５６、第２位置決めスリット５７および通気開口部５８のそれぞれに向かって流れやすい。そのため、ガイド部５３の外面５３４に一時的に溜まった飲料は、第１位置決めスリット５６、第２位置決めスリット５７および通気開口部５８を通過してボトル３の内部に戻りやすい。これにより、飲料がガイド部５３の外面５３４に溜まったままになることを抑え、ボトル３の内部に収容された飲料の飲み残しを抑えることができる。
【００５０】
あるいは、ガイド部５３の外面５３４は、第１位置決めスリット５６、第２位置決めスリット５７および通気開口部５８のいずれか１つに向かって下方に傾斜していてもよい。例えば、ガイド部５３の外面５３４と、ガイド部５３の外周部５５の内面と、の交差部が、通気開口部５８に向かって下方に傾斜していてもよい。この場合には、ガイド部５３の外面５３４に一時的に溜まった飲料は、通気開口部５８に向かって流れやすい。そのため、ガイド部５３の外面５３４に一時的に溜まった飲料は、第１位置決めスリット５６、第２位置決めスリット５７および通気開口部５８の少なくともいずれかを通過してボトル３の内部に戻りやすい。例えば、ガイド部５３の外面５３４に一時的に溜まった飲料は、通気開口部５８に向かって流れる途中で、第１位置決めスリット５６および第２位置決めスリット５７を通過してボトル３の内部に戻る。これにより、飲料がガイド部５３の外面５３４に溜まったままになることを抑え、ボトル３の内部に収容された飲料の飲み残しを抑えることができる。
【００５１】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【００５２】
２：飲料容器、  ３：ボトル、  ４：パッキン、  ５：アダプター、  ６：飲み口、  ７：キャップ、  ８：フード、  ３１：容器開口部、  ３２：外周部、  ５１：アダプター本体、  ５２：取っ手、  ５３：ガイド部、  ５４：アダプター開口部、  ５５：外周部、  ５６：第１位置決めスリット、  ５７：第２位置決めスリット、  ５８：通気開口部、  ６１：基部、  ６２：鍔部、  ６３：吸い口部、  ６４：液体通過孔、  ６５：第１突起部、  ６６：第２突起部、  ６７：通気部、  ７１：キャップ開口部、  ７２：嵌合凹部、  ８１：孔閉止部、  ８２：嵌合凸部、  ５３１：内面、  ５３２：下端部、  ５３３：上端部、  ５３４：外面、  ５４１：中心部、  ５５１：上端部、  ６２１：下面、  Ｓ１：隙間、  Ｓ２：隙間
【図１】
2020179885.tif 000003
【図２】
2020179885.tif 000004
【図３】
2020179885.tif 000005
【図４】
2020179885.tif 000006
【図５】
2020179885.tif 000007
【図６】
2020179885.tif 000008
【図７】
2020179885.tif 000009
【図８】
2020179885.tif 000010
【図９】
2020179885.tif 000011
【図１０】
2020179885.tif 000012